(57)【要約】【課題】コンピュータ装置を構成する機器相互間の電源容量計算及び電源の冗長性設計を、接続関係や制約条件を考慮して支援する。【解決手段】コンピュータ装置、周辺装置、電源装置を描画する手段と、電力配分装置を配置して描画する手段と、電力分配装置のコンセント、コンピュータ装置のコンセント、周辺装置のコンセント、電源装置のコンセントの全てに一意的な番号を定義して設定する手段と、前記コンピュータ装置、周辺装置に定義された電源ケーブルを前記電力分配装置のコンセントに接続して描画する手段とを備える。【選択図】図１
2013020281.tif 000002
【特許請求の範囲】
【請求項１】
コンピュータ装置及び周辺装置と電源装置との間のケーブル接続の設定を支援することを可能としたコンピュータ装置の電源容量計算及び電源の冗長性設計支援システムにおいて、コンピュータ装置、周辺装置、電源装置を作成して描画する手段と、前記描画したラックの左右の所定の位置に電力配分装置を配置して描画する手段と、電力分配装置のコンセント、コンピュータ装置のコンセント、周辺装置のコンセント、電源装置のコンセントの全てに一意的な番号を定義して設定する手段と、前記コンピュータ装置、周辺装置に定義された電源ケーブルを前記電力分配装置のコンセントに接続して描画する手段とを備えることを特徴とするコンピュータ装置の電源容量計算及び電源の冗長性設計支援システム。
【請求項２】
前記定義された一意的な番号を持つコンセントへの電源ケーブルの接続の有無を取得する手段と、前記取得した電源ケーブルの接続の有無の情報に基づいて、ケーブルの接続元とケーブルの接続先とをそれらの間を接続するケーブル・終端名称とを対応付けたケーブル接続表を作成して描画する手段とを備えることを特徴とする請求項１記載のコンピュータ装置の電源容量計算及び電源の冗長性設計支援システム。
【請求項３】
電源容量計算及び電源の冗長性設計に関する制限項目の一覧を示す制限項目一覧表を備えると共に、前記ラックへの前記コンピュータ装置、周辺装置及び電源装置の電源ケーブルのコンセントとの接続が、前記制限項目に違反していないか否かを判定するチェック手段とを備えることを特徴とする請求項１記載のコンピュータ装置の電源容量計算及び電源の冗長性設計支援システム。
【請求項４】
コンピュータ装置及び周辺装置と電源装置との間の電源容量計算及び電源の冗長性設計支援することを可能としたコンピュータ装置の電源容量計算及び電源の冗長性設計支援システムにおいて、コンピュータ装置、周辺装置、電源装置を作成して描画し、電力配分装置を配置して描画し、コンピュータ装置、周辺装置及び電源装置を描画し、電力分配装置のコンセント、コンピュータ装置のコンセント、周辺装置のコンセント、電源装置のコンセントの全てに一意的な番号を定義して設定し、前記コンピュータ装置、周辺装置に定義された電源ケーブルを前記電力分配装置のコンセントに接続して描画することを特徴とするコンピュータ装置の電源容量計算及び電源の冗長性設計支援方法。
【発明の詳細な説明】
【技術分野】
【０００１】
本発明は、コンピュータ装置の構成作成を支援するコンピュータ装置の構成作成支援システム及び構成作成支援方法に係り、特に、コンピュータ装置を構成する主要な機器、周辺装置、電源装置相互間の電源容量計算及び電源の冗長性設計を支援することを可能としたコンピュータ装置の電源容量計算及び電源の冗長性設計支援システムと方法に関する。
【背景技術】
【０００２】
多様で複雑な構成を有するコンピュータ装置の構成を作成するには、多くの制約条件を考慮する必要がある。このため、コンピュータ装置の構成を作成する設計者は、構成すべきコンピュータ装置と、そのコンピュータ装置を構成する構成部品等の製品仕様書を熟読しなければ、正確なコンピュータ装置の構成を作成することが困難である。
【０００３】
前述したようなコンピュータ装置の構成を作成することの困難さを解決することを可能としたコンピュータ装置の構成作成支援システムの従来技術として、例えば、特許文献１等に記載された技術が知られている。この従来技術は、コンピュータ装置の構成を作成する設計者である利用者に、端末機器から、プロセッサ、メモリ、ハードディスク、ＰＣＩアダプタカード等のコンピュータ装置の構成品や周辺装置を選択させ、コンピュータ装置の構成作成を容易に行うことができるように支援を行うというものである。
【先行技術文献】
【特許文献】
【０００４】
【特許文献１】特開２００４−１３９３６８号公報
【発明の概要】
【発明が解決しようとする課題】
【０００５】
前述した従来技術は、複数のコンピュータ装置からなるコンピュータシステムの構成作成を支援する技術に関するものであり、個々のコンピュータ装置を構成する主要な機器、周辺装置、電源装置等の機器相互間の電源容量計算及び電源の冗長性の設計を支援することについては考慮されておらず、機器相互間の電源容量計算及び電源の冗長性の設計を支援することができないという問題点を有している。
【０００６】
本発明の目的は、前述したような従来技術の問題点を解決し、コンピュータ装置を構成する機器相互間の電源容量及び電源の冗長性設計を、接続関係や制約条件を考慮して支援することができるようにしたコンピュータ装置の電源容量計算及び電源の冗長性設計支援システムと方法を提供することにある。
【課題を解決するための手段】
【０００７】
本発明によれば前記目的は、コンピュータ装置及び周辺装置と電源装置との電源容量計算及び電源の冗長性設計を支援することを可能としたコンピュータ装置の電源容量計算及び電源の冗長性設計支援システムにおいて、コンピュータ装置、周辺装置、電源装置を搭載する１または複数のラックを作成して描画する手段と、前記描画したラックの左右の所定の位置に電力配分装置を配置して描画する手段と、コンピュータ装置、周辺装置及び電源装置を前記描画したラックの所定の位置に搭載して描画する手段と、電力分配装置のコンセント、コンピュータ装置のコンセント、周辺装置のコンセント、電源装置のコンセントの全てに一意的な番号を定義して設定する手段と、前記コンピュータ装置、周辺装置に定義された電源ケーブルを前記電力分配装置のコンセントに接続して描画する手段とを備えることにより達成される。
【発明の効果】
【０００８】
本発明によれば、多様で複雑なコンピュータ装置における電源容量計算及び電源の冗長性設計を、接続関係や制約条件を設計者が意識することがなく、容易に設定することができる。
【図面の簡単な説明】
【０００９】
【図１】本発明の一実施形態によるコンピュータ装置の電源容量計算及び電源の冗長性設計支援システムの概略構成を示すブロック図である。
【図２】本発明の実施形態によるコンピュータ装置の電源容量計算及び電源の冗長性設計支援システムの動作の遷移を示す概念図である。
【図３】ＵＰＳ・ラッキング２３の処理の詳細を説明するフローチャートである。
【図４】図３に示すフローの処理で作成されるシステム構成図の例を示す図である。
【図５】図３に示すフローのステップ３４での電源容量計算及び電源の冗長性設計の判定処理の詳細を説明するフローチャートである。
【図６】図５に示すフローのステップ５７での電源容量計算及び電源の冗長性設計の判定処理の詳細を説明するフローチャートである。
【図７】電源容量計算及び電源の冗長性設計の例を示す図である。
【図８】電源ケーブルの接続位置情報の取得について説明する図である。
【図９】電源ケーブルの接続情報の作成について説明する図である。
【図１０】図２に示した電源容量計算及び電源の冗長性設計の構成例を示す図である。
【発明を実施するための形態】
【００１０】
以下、本発明によるコンピュータ装置の電源容量計算及び電源の冗長性設計支援システムと方法の実施形態を図面により詳細に説明する。
【００１１】
図１は本発明の一実施形態によるコンピュータ装置の電源容量計算及び電源の冗長性設計支援システムの概略構成を示すブロック図である。
【００１２】
本発明の実施形態によるコンピュータ装置の電源容量計算及び電源の冗長性設計支援システムは、電源容量計算及び電源の冗長性設計支援システムデータベース１と、コンピュータ装置の構成を作成する設計者である利用者（以下、単に、利用者という）が使用する端末機器２とがネットワークを介して接続されて構成されている。
【００１３】
端末機器２は、ＰＣに代表される情報処理装置としてよく知られているように、図示していないが、ＣＰＵ、メモリ、ＨＤＤ等の記憶装置、入出力装置を備えて構成されており、本発明で必要とする後述する各種の機能は、プログラムとして記憶装置内に格納され、メモリにロードされＣＰＵにより実行されることにより構築される。
【００１４】
本発明の実施形態では、ネットワークを介して接続されている電源容量計算及び電源の冗長性設計支援システムデータベース１からプログラムとして記述されているコンピュータ装置の電源容量計算及び電源の冗長性設計支援システムのファイルである電源容量計算及び電源の冗長性設計支援ファイル１ａを端末機器２にダウンロードして使用することとしている。
【００１５】
図１には、コンピュータ装置の電源容量計算及び電源の冗長性設計支援システムがダウンロードされた端末機器２内のメモリ３に電源容量計算及び電源の冗長性設計支援システムがロードされた状態を示している。そして、コンピュータ装置の電源容量計算及び電源の冗長性設計支援システムは、電源容量計算及び電源の冗長性設計支援システム起動ファイル３ａ、第１の製品構成情報（コンピュータ装置）用ファイル３ｂ、第２の製品構成情報（周辺装置）用ファイル３ｃ、製品価格情報用ファイル３ｄ、ライブラリ用ファイル３ｅにより構成されている。
【００１６】
前述において、電源容量計算及び電源の冗長性設計支援システム起動ファイル３ａは、電源容量計算及び電源の冗長性設計支援システムの本体である。第１の製品構成情報（コンピュータ装置）用ファイル３ｂは、コンピュータ装置の構成情報を格納している。第２の製品構成情報（周辺装置）用ファイル３ｃは、周辺装置（テープ装置、ディスク装置等）の構成情報を格納している。製品価格情報用ファイル３ｄは、コンピュータ装置（コンピュータ装置を構成している主要機器）や周辺装置の価格情報を格納している。ライブラリ用ファイル３ｅは、コンピュータ装置の電源容量計算及び電源の冗長性設計支援システムを動作させる種々のライブラリを格納している。
【００１７】
前述のように構成される本発明の実施形態におけるコンピュータ装置の電源容量計算及び電源の冗長性設計支援システムにおいて、利用者が、端末機器２を使用し、その入力装置からコンピュータ装置を選択すると、電源容量計算及び電源の冗長性設計支援システムは、システム構成情報ファイル４を作成する。
【００１８】
図２は本発明の実施形態によるコンピュータ装置の電源容量計算及び電源の冗長性設計支援システムの動作の遷移を示す概念図であり、次に、図２を参照して、コンピュータ装置の電源容量計算及び電源の冗長性設計支援システムの動作の流れについて説明する。
【００１９】
利用者が、端末機器２を用いてコンピュータ装置の電源容量計算及び電源の冗長性設計支援システムを起動すると、メニュー画面が端末機器２の画面に表示され、システム構成情報ファイルブック２０の新規作成または既存ファイル選択の画面が表示される。利用者が新規作成を選択すると、システム構成情報ファイルブック２０が新規に作成され、既存ファイルを選択すると、既存のシステム構成情報ファイルブック２０が開く。
【００２０】
次に、システム装置の作成２１の処理に移行し、利用者がコンピュータ装置のハードウエアのハードウエア選択画面が端末機器２の画面に表示される。利用者は、この画面からコンピュータ装置を選択する。設定が完了すると、設定データが電源容量計算及び電源の冗長性設計支援システムのライブラリ用ファイル３ｅに格納される。
【００２１】
次に、利用者がコンピュータ装置の周辺装置の選択画面が端末機器２の画面に表示される。利用者は、この画面から周辺装置の種別を設定する。設定が完了すると、設定データが電源容量計算及び電源の冗長性設計支援システムのライブラリ用ファイル３ｅに格納され周辺装置の電源情報が登録される。ここでの周辺装置とは、例えば、バックアップ装置やディスク装置、コンソール装置等である。バックアップ装置とは、テープ装置等をいい、ディスク装置とは、ディスクアレイ等の記憶装置である。
【００２２】
次に、ＵＰＳ（無停電電源装置(Uninterruptible Power Supply)）・ラッキング２３の処理に移行し、利用者が前述のシステム装置の作成２１の処理で作成したコンピュータ装置と、デバイスの設定２２の処理で作成した周辺装置をラックに搭載する設定を行うラック搭載設定画面が端末機器２の画面に表示される。ここでの設定は、図４により後述するように、コンピュータ装置と周辺装置とのラック搭載が自動的に設定され、また、電源ケーブルの電源装置への接続も自動的に設定される。この設定が完了すると、装置搭載条件やケーブル接続条件により設定内容の自動チェックが行われ、設定内容に不備がある場合、エラーリストを表示して、再度設定のやり直しが行われる。また、設定内容が正しい場合、システム構成図２４がシステム構成情報ファイルブック２０内に作成される。なお、ＵＰＳ・ラッキング２３の処理についての詳細は後述する。
【００２３】
次に、見積り価格一覧２５の処理に移行し、選択した、ハードウエアの見積り価格一覧表２６が、システム構成情報ファイルブック２０内に自動的に作成される。作成された見積り価格一覧表２６は、端末機器２の画面に表示される。
【００２４】
これまでの処理で設定した内容が、図面２８として電源容量計算及び電源の冗長性設計情報ファイルブック２０内に自動的に作成される。作成された図面２８は、端末機器２の画面に表示される。
【００２５】
図３は前述したＵＰＳ・ラッキング２３の処理の詳細を説明するフローチャート、図４は図３に示して説明するフローの処理で作成されるシステム構成図２４の例を示す図であり、次に、図３に示す処理によりシステム構成図２４を作成する処理と、作成されたシステム構成図２０の例とについて説明する。
（１）ラッキング（ラック搭載）の処理が開始されると、図４に示すように、ラック４０が作成描画される。図４に示す例では、図４（ａ）、図４（ｂ）に示すように、Ｒａｃｋ１、Ｒａｃｋ２の２台のラックが描画されている（ステップ３０、３１）。
（２）次に、ラック４０の左右の所定の位置にＰＤＵ（電力配分装置（Power Distribution Unit）)４１が配置されて描画される。図４に示す例では、２台のラックの左右のそれぞれに２台ずつの全部で８台のＰＤＵ４１が描画されている（ステップ３２）。
（３）次に、前述のシステム装置の作成２１の処理及びデバイスの設定２２の処理で設定されたシステム装置であるコンピュータ装置４４、周辺装置４２が、図４に示すように、ラック４０の所定の位置に自動的に搭載描画される。搭載位置を変更する場合、利用者は、マウスを用いて、図４に示すように自動的に搭載された各コンピュータ装置４４、周辺装置４２を任意の位置にドラックしてドロップすることにより、搭載位置を変更することができる。また、ここでの処理で、ＵＰＳ４５がラック４０の最下段に搭載描画される（ステップ３３）。
（４）次に、図４に示すように、コンピュータ装置４４、周辺装置４２に定義された電源ケーブル４３をＰＤＵ４１のコンセントに自動的に接続する。電源ケーブル４３の接続位置を変更する場合、利用者は、マウスを用いて、各電源ケーブル４３を任意のＰＤＵ４１のコンセント位置にドラックしてドロップすることにより、電源ケーブル４３の接続位置を変更することができる。なお、電源ケーブルの接続についての詳細は後述する（ステップ３４）。
（５）次に、図４（ｃ）、図４（ｄ）に示すように、外装の種類を設定してその内容を外装４６として描画するオプション設定の処理を行う（ステップ３５）。
（６）前述までの処理が完了した後、前述の各処理の設定を変更するか否かを判定し、前述の各処理の設定を変更する場合、ステップ３３の装置搭載からの処理に戻り、ステップ３５のオプション設定までの処理を行って再設定する（ステップ３６）。
（７）ステップ３６の判定で、設定変更がなかった場合、設定した内容に間違いがないかのチェックを実施し、チェックの結果、誤りがあった場合、エラーリストが表示され、ステップ３３からの処理に戻って、ステップ３５のオプション設定までの処理を行って誤りを修正するように再設定する（ステップ３７）。
（８）ステップ３７のチェックの結果、誤りがなかった場合、図４に示すようなシステム構成図２４が作成され、端末機器２の画面に表示される（ステップ３８）。
【００２６】
また、作成されて端末機器２の画面に表示されたシステム構成図２４には、図４（ｃ）、図４（ｄ）に示しているように、ラック４０毎のＰＤＵ４１やＵＰＳ装置４５に接続された各コンピュータ装置４４、周辺装置４２の総消費電力量が計算され、機器の消費電力４８として表示される。これにより、ＰＤＵ４１やＵＰＳ装置４５の許容電力量を超えていないかどうかを確認することができ、許容電力量を超えている場合、エラーが表示される。
【００２７】
【表１】
2013020281.tif 000003
【００２８】
表１は電源容量及び電源の冗長性についての制限項目の一覧を示す表である。この制限項目の一覧は、予め、電源容量計算及び電源の冗長性設計支援システムデータベース１内に備えられているものであって、前述した図３に示すフローのステップ３７で設定チェックのために利用される。
【００２９】
設定チェックは、表１に示す各項目について自動的に行われる。そして、表１に示している項目に違反する場合、エラーリストが表示されるので、図３に示すフローでは、ステップ３３の装置搭載の処理に戻って、エラーリストの項目について修正を行う。例えば、ＰＤＵ４１が１００ボルト対応ＰＤＵで、コンピュータ装置４４に定義された電源ケーブル４３が２００ボルトケーブルであった場合、電源ケーブル４３をＰＤＵ４１のコンセントにドラックしドロップして接続すると、表１に記載の１００ボルト／２００ボルトの誤接続チェックにより、接続エラーとしてエラーリストに表示されることになる。
また、表１に示している各項目に違反がない場合、図４に示して説明したようなシステム構成図２４が作成され、端末機器２の画面に表示されることになる。
【００３０】
図４に示して説明したシステム構成図２４におけるケーブル接続の設定処理は、すでに説明したように、コンピュータ装置４４、周辺装置４２に定義された電源ケーブル４３を、ＰＤＵ４１のコンセントに自動的に接続する処理である。そして、電源ケーブル４３の接続位置を変更する場合、利用者が、マウスを用いて、各電源ケーブル４０を任意のＰＤＵ３８のコンセント位置にドラックしてドロップすることにより接続位置の変更を行うことができ、実際のケーブルを装置に接続するようなイメージで接続の設定を行うことができる。接続の設定が完了すると、コンピュータ装置の作成支援システムは、接続元と接続先を認識する。
また、表１の項番１は、ある装置の所要電力１４００VAのとき、標準電源Ａ，冗長電源Ａ‘が同一ＰＤＵ装置に接続されるとき、ＰＤＵ装置の全体の出力電力は、装置の所要電力である１４００VAとなり、項番２は、ある装置の標準電源Ａ，冗長電源Ａ‘が異なるＰＤＵ装置に接続されるとき、各々のＰＤＵ装置の出力電力は１４００VAとなる。冗長電源の性質から、全体の出力電力も１４００VAとなる。
【００３１】
図５は図３に示すフローのステップ３４でのケーブル接続の設定処理の詳細を説明するフローチャート、図８はケーブル接続設定の例を示す図であり、次に、ケーブル接続の設定処理の詳細について説明する。なお、図８は、図４に示すシステム構成図２４の一部を拡大して示したものである。
（１）まず、図８（ａ）に示しているように、装置、図８に示す例ではシステム装置(１)から延びている電源ケーブル８０をマウスでクリックして選択する。電源ケーブル８０を選択すると、選択した電源ケーブル８０が色が変わる等によりアクティブ状態に表示される（ステップ５０、５１）。
（２）次に、選択した電源ケーブル８０をＰＤＵ８１のコンセントに接続するか否かを判断し、接続する場合は、ＰＤＵ８１のコンセントの接続する場所を決めて、選択している電源ケーブル８０を接続する場所にドロップする。すると、電源ケーブル８０が図８（ｂ）に電源ケーブル８２として示すようにＰＤＵ８１のコンセントに接続される（ステップ５２〜５４）。
（３）次に、接続された電源ケーブル８２の接続位置情報を取得し、ケーブルの接続元及び接続先の一覧表を接続情報として自動作成し、電源容量計算及び電源の冗長性設計支援システムのライブラリ用ファイル３ｅに格納する。なお、ここでの電源ケーブル８２の接続位置情報の取得処理と、接続情報の作成の処理との詳細については後述する（ステップ５５、５６）。
（４）前述までの処理でケーブルの接続設定の処理が完了すると、設定した接続の内容に間違いがないか否かをチェックし、誤りがあった場合、ステップ６３からの処理に戻って、誤りの修正が行われる。この設定内容のチェックは、表１に示した電源容量及び電源の冗長性に関する搭載制限項目の一覧の項目により自動的に行われ、項目に違反していた場合、エラーリストが表示されるので、エラーリストの項目について修正する（ステップ５７）。
（５）ステップ５７のチェックで、表１に示している項目に対する違反がない場合、図４に示して接続したシステム構成図２４が作成され、端末機器２の画面に表示されて、ここでの処理を終了する（ステップ５８）。
【００３２】
図６は、図５で示されたフローのステップ５７である接続チェックの処理を、表１に基づき示したフローである。
（１）システム装置や周辺装置の電源ごとに、プラグとコンセントの電圧、形状チェックを実施する(ステップ６０、チェック６１)。
（２）システム装置や周辺装置の電源ごとに、出力電力や定格電力のチェックを実施する(ステップ６２)。
（３）チェックの結果、エラーがなければ、装置の電源の接続先として、ＰＤＵ番号、コンセント番号が、ライブラリ用ファイル３ｅに記入される(ステップ６２)。
（４）ＵＰＳ装置に接続されている場合はさらにチェックを実施する(ステップ６４)。
（５）ＵＰＳ装置の出力先ごと、プラグとコンセントの電圧、形状チェックを実施する(ステップ６５、チェック６６)。
（６）ＵＰＳ装置の出力先ごと、出力電力や定格電力のチェックを実施する(ステップ６７)。
（７）チェックの結果、エラーがなければ、該当ＰＤＵ装置に接続する装置電源の接続先として、ＵＰＳ番号、出力番号が、ライブラリ用ファイル３ｅに記入される(ステップ６８)。
（８）エラーチェックを行い、エラーがあれば、該当項目を表示する(ステップ６９)。
【００３３】
図７は、電源の冗長性をチェックする際のパターンである。接続された電源構成を読取ることにより、選択された構成での注意点を示すことが可能となる。
（１）図７（ａ）ではシステム装置の標準電源/冗長電源が各々同じＰＤＵ装置に接続されており、ＰＤＵ装置が故障すると、システム停止が発生する。
（２）図７（ｂ）では両方のＰＤＵ装置が故障しないとシステム停止が発生しない。
（３）図７（ｃ）では前述のように一方のＰＤＵ装置にのみ接続されており、また、ＵＰＳ装置などバックアップするＵＰＳ装置に接続されていないため、商用電源の瞬停や、周波数異常の影響を受ける可能性がある。
（４）図７（ｄ）では各々独立したＰＤＵ装置に接続し、また、一方はＵＰＳ装置に接続している。この場合、商用電源の瞬停や、周波数異常に対応可能である。ただし、ＵＰＳの入力が切れる場合は、停電と見直してシステム装置のシャットダウン処理などを行う。
（５）図７（ｅ）では各々独立したＰＤＵ装置に接続、また、各々とも独立したＵＰＳ装置に接続している。この場合、商用電源に対しては、電源の耐障害性が向上しているが、ＵＰＳ装置などは２式ずつ必要となるため、コストはアップする。
【００３４】
図９は電源ケーブルの接続位置情報の取得と接続情報の作成とについて説明する図であり、図９を参照して、図５に示すフローにおけるステップ５５、５６の処理で一意的に定義された番号情報の定義と取得方法とを説明する。なお、図９は図４の図４（ａ）、図４（ｂ）として示した部分を抽出したものである。
【００３５】
番号情報の定義は、図９に示しているように、まず、ＰＤＵ９０の全てのコンセントにＲ１からＲ１２等の番号を与えることにより行われる。複数台のＰＤＵがある場合、ＰＤＵの名称を重複しないようにする。図９に示す例では、８台のＰＤＵのそれぞれに、ＰＤＵ−ａ〜ＰＤＵ−ｈの名称が与えられており、これにより、ＰＤＵのコンセント番号を一意的な番号に定義することができる。
【００３６】
次に、コンピュータ装置９１のコンセントに個別の番号、例えば、Ａ、Ａ’等を定義する。この場合、標準電源に接続すべきコンセントはＡ、冗長電源に接続すべきコンセントはＡ’のように区別して定義するとよい。複数台のコンピュータ装置がある場合、コンピュータ装置の名称を重複しないように、例えば、システム装置（１）、システム装置（２）等の名称とすることにより、コンピュータ装置９１のコンセント番号を一意的な番号に定義する。
【００３７】
次に、周辺装置９２のコンセントに個別の番号、例えば、Ａ、Ａ’等を定義する。この場合、標準電源に接続すべきコンセントはＡ、冗長電源に接続すべきコンセントはＡ’のように区別して定義するとよい。複数台の周辺装置がある場合、周辺装置の名称を重複しないように、例えば、テープ装置（１）、テープ装置（２）等の名称とすることにより、周辺装置９２のコンセント番号を一意的な番号に定義する。
【００３８】
次に、ＵＰＳ装置９３のコンセントに個別の番号、例えば、Ａ、Ａ’等を定義する。この場合、出力１はＡ、出力２はＡ’のように区別して定義するとよい。複数台のＵＰＳ装置がある場合、ＵＰＳ装置の名称を重複しないように、例えば、ＵＰＳ装置（１）、ＵＰＳ装置（２）等の名称とすることにより、ＵＰＳ装置９３のコンセント番号を一意的な番号に定義する。
【００３９】
前述のような方法で、各搭載機器のコンセントに一意的な番号情報を定義することができる。そして、このように定義した番号情報への電源ケーブル９９の接続の有無は、前述で定義された番号を全て検索して、電源ケーブル９９の接続の有無情報を自動取得することにより行うことができる。また、電源ケーブル９９のコンセントへの接続の有無の判定は、電源ケーブル９９の先端がコンセントの枠につなげられたときに、そのコンセントが電源ケーブル９９の終点として認識されて行うことができる。電源ケーブルの始点は、コンピュータ装置９１や、周辺装置９２のコンセントとなる。このようにして自動的に取得された電源ケーブル９９の接続有無情報から電源容量を自動的に計算し、電源容量計算及び電源の冗長性設計支援システムのライブラリ用ファイル３ｅに格納する。
【００４０】
【表２】
2013020281.tif 000004
【００４１】
表２は作成された接続元及び接続先の一覧表の構成例を示す表である。表２に示す接続元及び接続先の一覧は、装置名とその装置が持つ電源番号との組毎に、電源ケーブル名称、ＰＤＵ番号、ＰＤＵコンセント番号、ＵＰＳ番号、ＵＰＳ出力番号等を対応付けたものであり、前述の他に、電圧値、電力値、コネクタ数、コネクタ形状等を対応付けている。
図１０は、ある利用者が構築した、システム構成の電源容量計算及び電源の冗長性チェックの結果の一例を表示している。
【００４２】
前述した本発明の実施形態によれば、多様で複雑なコンピュータ装置の電源容量計算及び電源の冗長性設計の設定を、接続関係や制約条件を設計者が意識する必要なく、容易に設定することができる。
【００４３】
前述で説明した本発明の実施形態での各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して、あるいは、ネットワークを介して提供することができる。
【符号の説明】
【００４４】
１…電源容量計算及び電源の冗長性設計支援システムデータベース、  １ａ…電源容量計算及び電源の冗長性設計支援ファイル、  ２…端末機器、  ３ａ…電源容量計算及び電源の冗長性設計支援システム起動ファイル、  ３ｂ…第１の製品構成情報（コンピュータ装置）用ファイル、  ３ｃ…第２の製品構成情報（周辺装置）用ファイル、  ３ｄ…製品価格情報用ファイル、  ３ｅ…ライブラリ用ファイル、  ４…システム構成情報ファイル、  ４０、９８…ラック、  ４１、９０…ＰＤＵ、  ４２…周辺装置（テープ装置、ディスク装置等）、  ４３、８０、８２…電源ケーブル、  ９１…コンピュータ装置（システム装置）、  ９３…ＵＰＳ装置。
【図１】
2013020281.tif 000005
【図２】
2013020281.tif 000006
【図３】
2013020281.tif 000007
【図４】
2013020281.tif 000008
【図５】
2013020281.tif 000009
【図６】
2013020281.tif 000010
【図７】
2013020281.tif 000011
【図８】
2013020281.tif 000012
【図９】
2013020281.tif 000013
【図１０】
2013020281.tif 000014